(57)【要約】【課題】ヒートポンプ式の冷凍機を採用してコールド商品，ホット商品を販売する自動販売機の庫内冷却／加熱装置を対象に、低コストで、環境に優しく、消費電力を低減でき、しかも安全性に優れた自動販売機を提供する。【解決手段】圧縮機，室外熱交換器，室外ファンを組合せた室外ユニット、膨張機構、庫内熱交換器，庫内ファン、循環ダクトを組合せて商品室に配した庫内ユニットからなり、その冷凍サイクルで発生する冷熱，温熱で庫内の収納商品を冷却，加熱するヒートポンプ式冷凍機で構成した庫内冷却／加熱装置において、２基の庫内熱交換器により、断熱仕切壁を挿脱自在に設置する。または、循環ダクトを商品収納庫内の背面に前後方向に２列に配置させ、その通路を開閉することにより庫内冷却／加熱運転を行なう。【選択図】      図１
2004326400.tif 000002
【特許請求の範囲】
【請求項１】
商品を収納する商品コラムを左右に複数併設した断熱構造の商品収納庫と、該商品収納庫内に商品室を左右に区画形成する断熱仕切壁と、前記商品室に庫内熱交換器、庫内ファン、循環ダクトで商品室を循環空気で商品コラムの商品を冷却または加熱する庫内ユニットと、圧縮機、冷媒膨張機構、室外熱交換器、室外ファンを組み合わせて該商品収納庫外に設置する室外ユニットと、該庫内熱交換器をヒートポンプ作用として使用する自動販売機において、
前記庫内熱交換器が２基より構成することを特徴とする自動販売機。
【請求項２】
前記商品収納庫内にて前記断熱仕切壁が前記商品コラム間を挿脱自在に設置されることを特徴とした請求項１に記載の自動販売機。
【請求項３】
前記循環ダクトが前記商品収納庫内の背面に前後方向に２列に配置され、各該循環ダクトの内部において前記庫内熱交換器が配設され、該循環ダクトの入口部より流入する前記循環空気が該庫内熱交換器を通過するように流路構成がされ、かつ該循環ダクトの入口出口において前記商品室を冷却もしくは加熱に切り替えに対応して開放閉止する通路開閉手段を有することを特徴とした請求項１に記載の自動販売機。
【請求項４】
前記通路開閉手段が、２列に配置された前記循環ダクトの入口出口を切り替えて使用することを特徴とした請求項３に記載の自動販売機。
【請求項５】
前記ヒートポンプの冷凍サイクルには、可燃性または弱燃性冷媒を用いたことを特徴とした請求項１ないし請求項４のいずれかに記載の自動販売機。
【発明の詳細な説明】
【０００１】
【発明の属する技術分野】
本発明は、ホット商品とコールド商品を併売するホット・アンド・コールド自動販売機に装備したヒートポンプ式の庫内冷却／加熱装置に関する。
【０００２】
【従来の技術】
周知のように頭記したホット商品とコールド商品を併売する従来のホット・アンド・コールド自動販売機は、断熱筐体になる本体キャビネットの庫内を複数の商品室に仕切った上で、各商品室に商品コラムと併せて冷却器（冷凍機の蒸発器），ヒータ，および庫内ファンを組合せた庫内冷却／加熱装置を設置し、ホット商品，コールド商品の販売モードに合わせて前記冷却器で冷却した庫内空気（冷気），もしくはヒータで加熱した庫内空気（暖気）を庫内に循環送風して商品コラムに収納した商品を冷却，ないし加温して販売するようにしている。
【０００３】
また、近年になりオゾン層保護および温暖化防止の環境問題から冷凍機の冷媒としてフロン系冷媒の使用が規制されており、自動販売機においても、庫内冷却装置の冷凍機として自然冷媒（ＨＣ系冷媒）を採用した冷凍機が採用されるようになっている（例えば、特許文献１参照。）。
次に、従来例として、発明者等が現在開発を進めているヒートポンプ式の庫内冷却／加熱装置を搭載した自動販売機の構成，運転動作を図８〜図２１で説明する。
まず、図２０，図２１に自動販売機の全体構成を示す。図において、１は断熱筐体になる自動販売機の本体キャビネット、２は前面外扉、２ａは商品取出口、３は断熱内扉、４は商品収納庫、４Ａ〜４Ｃは商品収納庫４に仕切隔壁１ａで画成された商品室、５は各商品室に搭載した商品コラム、６は商品搬出シュータ、７は商品室４Ａ〜４Ｃの庫内底部に配置した庫内冷却／加熱装置の庫内ユニット、２４は庫内循環空気を庫内ユニットに戻す循環ダクト、８は本体キャビネット１の底部側に画成した機械室に配置した室外ユニット（冷凍機のコンデンシングユニット）である。なお、図示例では、商品室４Ａはコールド専用室、４Ｂ，４Ｃはホット・アンド・コールド室として後記のようにコールド商品，ホット商品を販売するようにしている。
【０００４】
また、図２２は前記した庫内冷却／加熱装置の詳細構造図、図２３はその冷凍回路図であり、前記の庫内ユニット７は庫内熱交換器７ａ，補助ヒータ（電熱ヒータ）７ｂ，庫内ファン７ｃを組合せて風胴に収設した構成になり、図２１で示すように商品室２Ａ〜２Ｃに１基ずつ配置されている。一方、室外ユニット８は圧縮機８ａ，室外熱交換器８ｂ，室外ファン８ｃを図示のように前後に並べて本体キャビネット１の機械室に収設されており、室外ファン８ｃの送風により外扉２の下部に開口する吸気口２ｂから取り込んだ外気を図示矢印の方向に流して室外熱交換器８ｂ，圧縮機８ａを通風し、本体キャビネット１の背面に開口する排気口１ｂから機外に排気するようにしている。また、室外ユニット８と各商品室に配した庫内ユニット７を結ぶ冷媒管路には、図２３の冷凍回路で示すように冷媒膨張機構（膨張弁）９，電磁弁１０，および回路内の要所に逆止弁１１を接続してヒートポンプ式の冷凍回路を構成している。なお、図中に表した記号７Ａ，７Ｂ，７Ｃはそれぞれ商品室４Ａ，４Ｂ，４Ｃに配置した庫内ユニットを表している。
【０００５】
上記の構成で、商品室４Ａ〜４Ｃごとに定めたホット，コールド販売モードに合わせて後記のように冷凍機を運転し、庫内熱交換器７ａと熱交換した冷気，暖気を庫内ファン７ｃの送風により商品室を循環通風して商品コラム５（図２０，２１参照）に収納した商品１２を冷却，もしくは加熱して販売する。
次に、商品室４Ａ〜４Ｃでのホット，コールド販売モードに対応するヒートポンプ式冷凍機の運転モードを図２４〜図３０で説明する。なお、各図の冷凍回路には符号を付してないが図２３に準ずるものとし、図中の太線は冷媒の通流，細線は冷媒の非通流状態を、矢印は冷媒の通流方向を表している。また、各運転モードの図中に表示した記号Ｃはコールド運転，Ｈはホット運転を表し、例えばＣＣＣは図２１に示した３室の商品室４Ａ〜４Ｃが全てコールド運転、ＣＣＨは２室がコールド運転，１室がホット運転である状態を表している。
【０００６】
また、図３１は庫内冷却／加熱装置の制御系統図、図３２はその制御装置のブロック図、図３３はホット運転モードに対応する制御のフローチャートであり、図２４〜図３０に示す各運転モードでは、庫内の各商品室に配した庫内温度センサの検出信号を庫内温度情報として、コントローラからの指令により圧縮機，ヒータ，室外ファン，庫内ファン，電磁弁をＯＮ／ＯＦＦ制御して各商品室の庫内温度をコールド商品，ホット商品の販売適温に保つようにしている。
まず、図２４（ａ）、（ｂ）に、３室の商品室４Ａ〜４Ｃを全て冷却してコールド商品を販売する運転モード（ＣＣＣ運転）に対応する冷凍回路の冷媒の流れ、および庫内温度の推移とこれに対応する冷凍機制御動作のタイムチャートを示す。なお、図中のＡ，Ｂ，Ｃはそれぞれ商品室４Ａ，４Ｂ，４Ｃに対応する庫内温度の時間的な変化、ＯＮ点，ＯＦＦ点はそれぞれ庫内温度設定値の上限，下限を表している。このＣＣＣ運転モードでは、各商品室に配した庫内ユニット７Ａ〜７Ｃの庫内熱交換器７ａが全て蒸発器，室外ユニット８の室外熱交換器８ｂを凝縮器として、庫内熱交換器で庫内から吸熱した熱を室外熱交換器より自動販売機外に放熱している。
【０００７】
図２５は商品室４Ａ，４Ｂがコールド運転，４Ｃがホット運転の運転モード（ＣＣＨ運転１）であり、この運転モードでは庫内ユニット７Ａ，７Ｂの庫内熱交換器が蒸発器として庫内を冷却し、庫内ユニット７Ｃの庫内熱交換器が凝縮器として庫内ユニット７Ａ，７Ｂの庫内熱交換器で吸熱した熱を放熱して庫内を加熱しており、室外ユニット８の熱交換器は休止（冷媒の通流停止）している。
図２６はＣＣＨ運転モードで商品室４Ｃの加熱要求がない運転状態（ＣＣＨ運転２）を表し、この運転状態では庫内ユニット７Ｃの庫内熱交換器が休止し、室外ユニット８の室外熱交換器を凝縮器として庫内ユニット７Ａ，７Ｂの庫内熱交換器で吸熱した熱を室外に放熱している。
【０００８】
図２７はＣＣＨ運転モードで商品室４Ａ，４Ｂの冷却要求がない運転状態（ＣＣＨ運転３）であり、この運転状態では庫内ユニット７Ａ，７Ｂの庫内熱交換器が休止、庫内ユニット７Ｃの庫内熱交換器が凝縮器として庫内に放熱し、室外ユニット８の室外熱交換器が蒸発器として吸熱している。
図２８は商品室４Ａがコールド運転，４Ｂ，４Ｃがホット運転の運転モード（ＣＨＨ運転１）であり、この運転モードでは庫内ユニット７Ａの庫内熱交換器が蒸発器として庫内を冷却し、庫内ユニット７Ｂ，７Ｃの庫内熱交換器が凝縮器として放熱しており、室外ユニット８の熱交換器は休止（冷媒の通流停止）している。
【０００９】
図２９はＣＨＨ運転モードで商品室４Ａの冷却要求がない運転状態（ＣＨＨ運転２）を表し、この運転状態では庫内ユニット７Ａの庫内熱交換器が休止、庫内ユニット７Ｂ，７Ｃが凝縮器として庫内に放熱し、室外ユニット８の室外熱交換器が蒸発器として吸熱している。
図３０はＣＨＨ運転モードで商品室４Ｂ，４Ｃの加熱要求がない運転状態（ＣＨＨ運転３）を表し、この運転状態では庫内ユニット７Ｂ，７Ｃの庫内熱交換器が休止、庫内ユニット７Ａの庫内熱交換器が蒸発器として吸熱し、室外ユニット８の室外熱交換器が凝縮器として室外に放熱している。
【００１０】
上記のように図２４のＣＣＣ運転モード１を除き、図２５〜図３０のＣＣＨ運転モードもしくはＣＨＨ運転モードでは、ホット運転（Ｈ）に対応する庫内ユニット７の庫内熱交換器７ａが凝縮器として庫内に放熱する。一方、室外ユニット８の室外熱交換器８ｂについては、図２４のＣＣＣ運転モード１，図２６のＣＣＨ運転２，図３０のＣＨＨ運転３の状態では凝縮器として放熱し、図２７のＣＣＨ運転３，図２９のＣＨＨ運転２では逆に蒸発器として室外から吸熱するなど、そのときの自動販売機の販売モードに合わせて庫内熱交換器，室外熱交換器が凝縮器として放熱したり、放熱器として吸熱したりする。そして、個々の運転モードでは、各商品室の庫内温度情報を基に図３１〜図３３で示すようにコントローラで圧縮機，庫内ファン，ヒータをＯＮ／ＯＦＦ制御して庫内温度をコールド商品，ホット商品の販売適温に保つようにしている。
【００１１】
【特許文献１】
特開２００２−１０６９８３号公報
【００１２】
【発明が解決しようとする課題】
通常使用される多くの飲料自動販売機は、複数（多くは３室）の商品室を有し、季節ごとの需要に応じてそれぞれの商品室を加熱室または冷却室に切替えて運転されるため、前述のようにヒートポンプ式の冷凍機を自動販売機の庫内冷却／加熱装置として使用するためには、冷却回路が複雑になり、コストアップになるという欠点がある。
また一方で、近年は、脱フロン、省エネルギーなど環境に考慮した自動販売機の要求が高く、従来のフロン冷媒から炭化水素などの自然冷媒に切替えることが進められている。しかし、炭化水素などの自然冷媒は、可燃性または弱燃性の特性を有し、配管の接続部から漏れによる火災、爆発等が危惧される。
本発明は上記の点に鑑みてなされたものであり、低コストで、環境にやさしく、消費電力を低減でき、しかも安全性に優れた自動販売機を提供することを目的とする。
【００１３】
【課題を解決するための手段】
上記の目的を達成するために、本発明の請求項１に係る自動販売機は、商品を収納する商品コラムを左右に複数併設した断熱構造の商品収納庫と、該商品収納庫内に商品室を左右に区画形成する断熱仕切壁と、前記商品室に庫内熱交換器、庫内ファン、循環ダクトで商品室を循環空気で商品コラムの商品を冷却または加熱する庫内冷却加熱ユニットと、圧縮機、冷媒膨張機構、室外熱交換器、室外ファンを組み合わせて該商品収納庫外に設置する室外冷却ユニットと、該庫内熱交換器をヒートポンプ作用として使用する自動販売機において、前記庫内熱交換器が２基より構成することを特徴とする
また、本発明の請求項２に係る自動販売機は、上記請求項１において、前記商品収納庫内にて前記断熱仕切壁が前記商品コラム間を挿脱自在に設置されることを特徴とする。
【００１４】
また、本発明の請求項３に係る自動販売機は、上記請求項１において、前記循環ダクトが前記商品収納庫内の背面に前後方向に２列に配置され、各該循環ダクトの内部において前記庫内熱交換器が配設され、該循環ダクトの入口部より流入する前記循環空気が該庫内熱交換器を通過するように流路構成がされ、かつ該循環ダクトの入口出口において前記商品室を冷却もしくは加熱に切り替えに対応して開放閉止する通路開閉手段を有することを特徴する。
また、本発明の請求項４に係る自動販売機は、上記請求項３において、前記通路開閉手段が、２列に配置された前記循環ダクトの入口出口を切り替えて使用することを特徴とする。
【００１５】
また、本発明の請求項４に係る自動販売機は、上記請求項１ないし請求項４のいずれかににおいて、前記ヒートポンプの冷凍サイクルには、可燃性または弱燃性冷媒を用いたことを特徴とする。
【００１６】
【発明の実施の形態】
以下、本発明に係わる自動販売機の実施の形態を説明する。なお、以下に説明する実施の形態において、上述した従来の技術と対応する部分には同一の符号を用い、且つ、従来の技術と実質的に同一の部分は説明を省略する。
（実施の形態１）図１、２は、本発明の請求項１、２に記載する発明に対応する自動販売機の正面図であり、図３は、冷凍回路図、図４〜８は、ホット、コールド販売モードに対応するヒートポンプ式冷凍機による運転モードの説明図を示す。従来例での自動販売機と異なる点は、仕切隔壁１ａが１枚で構成され、商品室４Ｂの両側に選択的に取り付けられる構造となっている。また、図３で示すように庫内熱交換器が７Ａ、７Ｃの２基で構成されて、従来技術の図２３と比較して少ない配管で冷凍回路が構成されている。
【００１７】
かかる構成において、すべての商品コラムの商品を冷却する場合には、図１または図２のどちらかに図示される位置に断熱仕切壁１ａを装着し、図３に示す電磁弁１０ａ、１０ｂ、１０ｃ、１０ｄ、１０ｈを開放し、電磁弁１０ｅ、１０ｆ，１０ｉを閉止する。冷媒は、図４の太線で示すように流れ、庫内熱交換器７Ａ，および７Ｃが蒸発器として庫内を冷却する。
商品コラム５Ａ、５Ｂの商品を冷却、商品コラム５Ｃの商品を加熱する場合には、図１に示すように商品コラム５Ｂと商品コラム５Ｃとの間に断熱仕切壁１ａを装着し、図５に示す電磁弁１０ｃ、１０ｄ、１０ｆ，１０ｉを開放し、電磁弁１０ａ、１０ｂ、１０ｅを閉止する。冷媒は、図５の太線で示すように流れ、庫内熱交換器７Ａは蒸発器として商品コラム５Ａ、５Ｂの商品を冷却し、庫内熱交換器７Ｃは凝縮器として、商品コラム５Ｃの商品を加熱する。加熱側の商品室が所定の温度に達したときは、加熱運転を中止し、冷却運転を継続する。具体的には、図６に示すように電磁弁１０ｃ、１０ｄ、１０ｈを開放し、電磁弁１０ａ、１０ｂ、１０ｅ、１０ｆ，１０ｇを閉止すれば、庫内熱交換器７Ａは蒸発器として商品コラム５Ａ、５Ｂの商品を冷却し、庫内熱交換器７Ｃは運転を停止する。
また反対に、冷却側の商品室が所定の温度に達したときは、冷却運転を中止し、加熱運転を継続する。具体的には、図７に示すように電磁弁１０ｅ、１０ｆ，１０ｇを開放し、電磁弁１０ａ、１０ｂ、１０ｃ、１０ｄ、１０ｈを閉止すれば、庫内熱交換器７Ｃは凝縮器として商品コラム５Ｃの商品を加熱し、庫内熱交換器７Ａは運転を停止する。かかる運転の制御は、自動販売機内に設置された図示していないコントローラにより行われる。
【００１８】
また、図８に示すように電磁弁１０ｃ、１０ｄ、１０ｆ，１０ｈを開放し、電磁弁１０ａ、１０ｂ、１０ｅ、１０ｇを閉止すれば、庫内熱交換器７Ａは蒸発器として商品コラム５Ａ、５Ｂの商品を冷却し、庫内熱交換器７Ｃは凝縮器として商品コラム５Ｃの商品を加熱する運転を行っても良い。この場合には、室外熱交換器８ｂが凝縮器として作用するため、凝縮能力が増加をし、庫内熱交換器７Ａの冷却能力も増加することになる。
また、商品コラム５Ａの商品を冷却し、商品コラム５Ｂ、５Ｃの商品を加熱する場合には、図２に示すように商品コラム５Ａと商品コラム５Ｂとの間に断熱仕切壁１ａを装着すれば、上記と同様の運転方法で冷却／加熱制御が出来る。
【００１９】
また、断熱仕切壁１ａを商品コラム５Ａ内の中間に配置することにより、冷却、加熱の商品コラム数をさらにきめ細かく替える事ができる。
かかる構成にすることにより、２つの庫内熱交換器にて配管構成を少なく低コストを図るとともに、ヒートポンプによる排熱を庫内の加熱に利用する省エネ効果を達成することができる。
（実施の形態２）図９、１０は、本発明の請求項３、４に記載する発明に対応する自動販売機の実施例を示す庫内冷却／加熱装置の構成配置図であり、図１１は、循環ダクトを上側より見た循環ダクト、シャッター部の説明図、図１２〜１５は、シャッターの開閉のよる冷気、暖気の流れを示す説明図、図１６〜１９は、冷凍回路図を示す。従来例での自動販売機と異なる点は、循環ダクトが前後２列の構成であり、各ダクトの入口・出口にシャッターが配置され、該ダクト内には庫内熱交換器が配置されている点である。また、図１６の冷凍回路図は、図３に示す実施例１の場合と比較して電磁弁１０ａ、１０ｂおよび逆支弁が省略された簡素な構造である。
【００２０】
具体的な循環ダクトの構造を以下に説明する。図９において、２４Ｄは、前側に位置する循環ダクトで、その内部に蒸発器として冷却を行なう庫内熱交換器７Ｄが配置された冷却ダクトであり，２４Ｅは、後側の循環ダクトで、ヒートポンプ作用により凝縮器として加熱する庫内熱交換器７Ｅが配置されている加熱ダクトである。２５は、冷却、加熱の両ダクトの入口部に設置され、庫内商品室からの循環空気を吸入または遮断する入口シャッターであり、２６は、該入口シャッター２５と図示していない機構で連動して開閉する出口シャッターである。２８は、冷却、加熱の両ダクトから流入された循環空気が各庫内商品室へ流出するダクト出口を示す。図９の例は、加熱運転の状態を示し、冷却ダクト２４Ｄがシャッター２５，２６により通路を遮断され、循環空気は、矢印で示すように加熱ダクト２４Ｅ、庫内熱交換器７Ｅを通過して、ダクト出口２８より庫内商品室へ流出する。図１０の例では、加熱ダクト２４Ｅが遮断され、循環空気が冷却ダクト２４Ｄを通過する冷却運転の状態を示す。図１１は、循環ダクトを上方より見た図であり、シャッター２５は、各庫内商品室に対応してそれぞれ１個両ダクトの中間に回動可能に配置され、冷却ダクト２４Ｄまたは加熱ダクト２４Ｅのいずれか一方を通過させ、他方を遮断する構造をしている。冷却ダクト２４Ｄ内の内部の構造を図１２（ａ）に示す。２７は、循環ダクトの各庫内商品室に対応した入口部、２８は、入口部２７より流入した循環空気が庫内熱交換器７Ｄを通過するように入口循環ダクト２４Ｄ内配置した遮蔽壁である。すなわち、冷却ダクト２４Ｄは、各庫内商品室の循環ダクトの入口部２７Ａ，２７Ｂ，２７Ｃから流入した循環空気が庫内熱交換器７Ｄにて冷却され、各ダクト出口２８Ａ，２８Ｂ，２８Ｃへ流出させる一体構造のダクトである。加熱ダクト２４Ｅも同様の構造である。
【００２１】
かかる構成において、各運転モード時の動作を説明する。３室の商品コラムの商品を冷却する場合（ＣＣＣ運転）には、図１７に示すように電磁弁１０ｃ、１０ｄ、１０ｈを開放し、電磁弁１０ｅ、１０ｆ，１０ｇを閉止することで、冷媒を図１７の太線で示すように流し、庫内熱交換器７Ｄが蒸発器となり冷却運転させる。循環ダクトにおいては、図１２（ａ）、（ｂ）に図示されるようにシャッター２５をすべて加熱循環ダクト２４Ｅ側に倒し、冷却循環ダクト２４Ｄの入口出口をすべて開放する。このことにより、冷却風は図１２（ａ）の太線の矢印で示すように各商品室の商品を冷却することが出来る。
【００２２】
また、商品室４Ａ，４Ｂがコールド運転、４Ｃがホット運転であるＣＣＨ運転では、図１８に示すように電磁弁１０ｃ、１０ｄ、１０ｆ，１０ｈを開放し、電磁弁１０ｅ、１０ｇを閉止することで、冷媒を図１８の太線で示すように流し、庫内熱交換器７Ｄが蒸発器となり冷却運転をさせ、庫内熱交換器７Ｅが凝縮器となり加熱運転をさせる。循環ダクトにおいては、図１３（ａ）、（ｂ）に図示されるように冷却運転をする庫内商品室４Ａ，４Ｂのシャッター２５Ａ，２５Ｂを加熱循環ダクト２４Ｅ側に倒し、加熱運転する庫内商品室４Ｃのシャッター２５Ｃの冷却循環ダクト２４Ｄ側に倒す。このことにより、冷却風は図１３（ａ）の太線の矢印で示すように庫内商品室の商品４Ａ，４Ｂを冷却し、加熱風は図１３（ｂ）の破線の矢印で示すように庫内商品室４Ｃの商品を加熱することが出来る。冷却側の商品室が所定の温度に達したときは、冷却運転を中止し、加熱運転を継続する。具体的には、図１９で示すように電磁弁１０ｅ、１０ｆ，１０ｇを開放し、電磁弁１０ｃ、１０ｄ、１０ｈを閉止することで、冷媒を図１９の太線で示すように冷媒を流し、庫内熱交換器７Ｅが凝縮器となり加熱運転をさせる。また、逆に加熱側の商品室が所定の温度に達し、冷却側の商品室の運転を継続する時には、図１７の冷媒運転モードとすれば良い。
【００２３】
また、同様にＣＨＨ運転では、図１４（ａ）、（ｂ）に示すようにシャッター２５を開閉し、図１８の冷媒運転モードとすれば良い。同様にＣＨＣ運転では、図１５（ａ）、（ｂ）に示すようにシャッター２５を開閉し、図１８の冷媒運転モードとすれば良い。
また、シャッター機構は、冷却、加熱の両ダクトをスライドさせて開閉する方式でも、冷却、加熱の両ダクトそれぞれに独立して開閉する方式でも良い。
かかる構成にすることにより、３室の庫内商品室を季節の需要に応じた各種の運転モードで運転し、２つの庫内熱交換器にてさらに配管構成を少なくして低コストを図るとともに、ヒートポンプによる排熱を庫内の加熱に利用することによる省エネ効果を達成することができる。
【００２４】
また、使用冷媒を可燃性または弱燃性冷媒のプロパン，イソブタンなどの自然冷媒とすることにより、フロン系冷媒に比べて凝縮温度が高いことから商品を加熱するエネルギー効率が高く、またフロン冷媒を使用しないことから地球のオゾン層の破壊を防ぐことができる。また、可燃性または弱燃性冷媒では、配管の接続部等よりの漏れに注意を払う必要があるが、本発明の構成によれば、配管構成が簡素化されるために、安全性の高い自動販売機を提供することができる。
【００２５】
【発明の効果】
以上の説明から明らかなように、請求項１，２に記載の発明の自動販売機によれば、２つの庫内熱交換器にて配管構成を少なく低コストを図るとともに、ヒートポンプによる排熱を庫内の加熱に利用する省エネ効果を達成することができる。
また、請求項３、４に記載の本発明の自動販売機によれば、前後２列の循環ダクトを配置し各種の運転モードに応じてシャッターにより通路を切り替えることにより、季節の需要に応じた各種の運転モードで運転し、２つの庫内熱交換器にてさらに配管構成を少なくして低コストを図るとともに、ヒートポンプによる排熱を庫内の加熱に利用する省エネ効果を達成することができる。
【００２６】
また、請求項５に記載の本発明の自動販売機によれば、可燃性または弱燃性冷媒のプロパン，イソブタンなどの自然冷媒を使用することにより、エネルギー効率が高く、また地球のオゾン層の破壊を防ぐことができる。また、配管構成が簡素化されるために、配管の接続部等よりの漏れに対する安全性の高い自動販売機を提供することができる。
【図面の簡単な説明】
【図１】本発明の実施例１に対応する自動販売機で右側に仕切り板を置いた場合の正面図。
【図２】本発明の実施例１に対応する自動販売機で左側に仕切り板を置いた場合の正面図。
【図３】本発明の実施例１に対応する自動販売機の冷凍回路図。
【図４】本発明の実施例１に対応する冷凍回路によるＣＣ運転モードの説明図。
【図５】本発明の実施例１に対応する冷凍回路によるＣＨ運転モードの説明図。
【図６】本発明の実施例１に対応する冷凍回路によるＣＨ運転にてＣのみ稼動モードの説明図。
【図７】本発明の実施例１に対応する冷凍回路によるＣＨ運転にてＨのみ稼動モードの説明図。
【図８】本発明の実施例１に対応する冷凍回路による別のＣＨ運転のモードの説明図。
【図９】本発明の実施例２に対応する自動販売機の庫内冷却／加熱装置の加熱側ダクトを開放した時における構成配置図。
【図１０】本発明の実施例２に対応する自動販売機の庫内冷却／加熱装置の冷却側ダクトを開放した時における構成配置図。
【図１１】本発明の実施例２に対応する自動販売機の循環ダクトを上側より見た循環ダクト、シャッター部の説明図。
【図１２】本発明の実施例２に対応する自動販売機の２列の循環ダクト、シャッター部の断面を示し、（ａ）はＣＣＣ運転時の冷却ダクト、（ｂ）はＣＣＣ運転時の加熱ダクトに関する循環空気の流れの説明図。
【図１３】本発明の実施例２に対応する自動販売機の２列の循環ダクト、シャッター部の断面を示し、（ａ）はＣＣＨ運転時の冷却ダクト、（ｂ）はＣＣＨ運転時の加熱ダクトに関する循環空気の流れの説明図。
【図１４】本発明の実施例２に対応する自動販売機の２列の循環ダクト、シャッター部の断面を示し、（ａ）はＣＨＨ運転時の冷却ダクト、（ｂ）はＣＨＨ運転時の加熱ダクトに関する循環空気の流れの説明図。
【図１５】本発明の実施例２に対応する自動販売機の２列の循環ダクト、シャッター部の断面を示し、（ａ）はＣＨＣ運転時の冷却ダクト、（ｂ）はＣＨＣ運転時の加熱ダクトに関する循環空気の流れの説明図。
【図１６】本発明の実施例２に対応する自動販売機の冷凍回路図。
【図１７】本発明の実施例２に対応する自動販売機のＣＣＣ運転時における冷媒の流れの説明図。
【図１８】本発明の実施例２に対応する自動販売機のＣＣＨ運転時における冷媒の流れの説明図。
【図１９】本発明の実施例２に対応する自動販売機の加熱運転のみにおける冷媒の流れの説明図。
【図２０】本発明の実施対象となるホット・アンド・コールド自動販売機の概要構成を示
す側視断面図。
【図２１】図２０の庫内正面図。
【図２２】図２０における庫内冷却／加熱装置の従来例の構成配置図。
【図２３】図２２の冷凍回路図。
【図２４】図２３の冷凍回路によるＣＣＣ運転モードの説明図で、（ａ）  は冷凍回路の冷媒
の流れを表す図、（ｂ）  は運転制御のタイムチャートを表す図。
【図２５】図２３の冷凍回路おけるＣＣＨ運転モードに対応した冷媒の流れを表す図。
【図２６】図２５と異なる運転状態のＣＣＨ運転モードに対応した冷媒の流れを表す図。
【図２７】図２６とさらに異なる運転状態のＣＣＨ運転モードに対応した冷媒の流れを表
す図。
【図２８】図２３の冷凍回路おけるＣＨＨ運転モードに対応した冷媒の流れを表す図。
【図２９】図２８と異なる運転状態のＣＨＨ運転モードに対応した冷媒の流れを表す図。
【図３０】図２９とさらに異なる運転状態のＣＣＨ運転モードに対応した冷媒の流れを表
す図。
【図３１】庫内冷却／加熱装置の基本的な運転制御系統を表すブロック図。
【図３２】従来における庫内冷却／加熱装置の制御装置を表すブロック図。
【図３３】図３２の制御装置のフローチャートを表す図。
【符号の説明】
１    自動販売機のキャビネット
１ａ  仕切隔壁
４Ａ，４Ｂ，４Ｃ  商品室
５    商品コラム
７    庫内冷却／加熱装置の庫内ユニット
７ａ  庫内熱交換器
７ｃ  庫内ファン
８    庫内冷却／加熱装置の室外ユニット
８ａ  圧縮機
８ｂ  室外熱交換器
８ｃ  室外ファン
９    膨張機構
１１    商品
１３    庫内ユニットに配した温度センサ
２４    循環ダクト
２４Ｄ  冷却循環ダクト
２４Ｅ  加熱循環ダクト
２５    入口シャッター
２６    出口シャッター
【図１】
2004326400.tif 000003
【図２】
2004326400.tif 000004
【図３】
2004326400.tif 000005
【図４】
2004326400.tif 000006
【図５】
2004326400.tif 000007
【図６】
2004326400.tif 000008
【図７】
2004326400.tif 000009
【図８】
2004326400.tif 000010
【図９】
2004326400.tif 000011
【図１０】
2004326400.tif 000012
【図１１】
2004326400.tif 000013
【図１２】
2004326400.tif 000014
【図１３】
2004326400.tif 000015
【図１４】
2004326400.tif 000016
【図１５】
2004326400.tif 000017
【図１６】
2004326400.tif 000018
【図１７】
2004326400.tif 000019
【図１８】
2004326400.tif 000020
【図１９】
2004326400.tif 000021
【図２０】
2004326400.tif 000022
【図２１】
2004326400.tif 000023
【図２２】
2004326400.tif 000024
【図２３】
2004326400.tif 000025
【図２４】
2004326400.tif 000026
【図２５】
2004326400.tif 000027
【図２６】
2004326400.tif 000028
【図２７】
2004326400.tif 000029
【図２８】
2004326400.tif 000030
【図２９】
2004326400.tif 000031
【図３０】
2004326400.tif 000032
【図３１】
2004326400.tif 000033
【図３２】
2004326400.tif 000034
【図３３】
2004326400.tif 000035